【手続補正書】
【提出日】平成19年4月12日(2007.4.12)
【手続補正１】
【補正対象書類名】明細書
【補正対象項目名】発明の名称
【補正方法】変更
【補正の内容】
【発明の名称】データ処理装置及び方法並びにコンピュータ読み取り可能な記録媒体
【手続補正２】
【補正対象書類名】明細書
【補正対象項目名】特許請求の範囲
【補正方法】変更
【補正の内容】
【特許請求の範囲】
【請求項１】  クライアント上で動作するＷＷＷブラウザからの要求に応じてＨＴＭＬドキュメントを送信するデータ処理装置であって、
ＷＷＷブラウザからの要求を受信するデータ受信手段と、
前記データ受信手段において受信した要求にクライアント固有の情報が含まれているか否かを識別する識別手段と、
前記識別の結果、受信したデータにクライアント固有の情報が含まれていた場合、前記クライアントに対応する情報保存ファイルを生成する情報保存ファイル生成手段と、
前記情報保存ファイル生成手段が生成した情報保存ファイルと対応付けて前記クライアント固有の情報を保存するデータ保存手段と、
クライアント固有の情報が対応付けられた前記情報保存ファイルを参照してクライアント固有のドキュメントを生成するドキュメント生成手段と、
を備えることを特徴とするデータ処理装置。
【請求項２】  前記情報保存ファイル生成手段は、クライアントからＩＰアドレスが取得できた場合、クライアントから取得したＩＰアドレスに対応する情報保存ファイルを生成し、
クライアントのＩＰアドレスが取得できなかった場合、デフォルトのファイル名を持つ情報保存ファイルを生成するデフォルト情報保存ファイル生成手段をさらに備えることを特徴とする請求項１記載のデータ処理装置。
【請求項３】  クライアント上で動作するＷＷＷブラウザからの要求に応じてＨＴＭＬドキュメントを送信するデータ処理方法であって、
ＷＷＷブラウザからの要求を受信し、
前記受信した要求にクライアント固有の情報が含まれているか否かを識別し、
前記識別の結果、受信したデータにクライアント固有の情報が含まれていた場合、前記クライアントに対応する情報保存ファイルを生成し、
前記生成した情報保存ファイルと対応付けて前記クライアント固有の情報を保存し、
クライアント固有の情報が対応付けられた前記情報保存ファイルを参照してクライアント固有のドキュメントを生成することを特徴とするデータ処理方法。
【請求項４】  クライアントからＩＰアドレスが取得できた場合、クライアントから取得したＩＰアドレスに対応する情報保存ファイルを生成し、
クライアントからＩＰアドレスが取得できなかった場合、デフォルトのファイル名を持つ情報保存ファイルをさらに生成することを特徴とする請求項３記載のデータ処理方法。
【請求項５】  コンピュータに、クライアント上で動作するＷＷＷブラウザからの要求に応じてＨＴＭＬドキュメントの送信を実行させるためのプログラムを記録したコンピュータ読み取り可能な記録媒体であって、
ＷＷＷブラウザから要求を受信するステップと、
前記受信した要求にクライアント固有の情報が含まれているか否かを識別するステップと、
前記識別の結果、受信したデータにクライアント固有の情報が含まれていた場合、前記クライアントに対応する情報保存ファイルを生成するステップと、
前記生成した情報保存ファイルと対応付けて前記クライアント固有の情報を保存するステップと、
クライアント固有の情報が対応付けられた前記情報保存ファイルを参照してクライアント固有のドキュメントを生成するするステップ
を実行させるためのプログラムを記録したコンピュータ読み取り可能な記録媒体。
【請求項６】  クライアントからＩＰアドレスが取得できた場合、クライアントから取得したＩＰアドレスに対応する情報保存ファイルを生成するステップと、
クライアントからＩＰアドレスが取得できなかった場合、デフォルトのファイル名を持つ情報保存ファイルを生成するステップ
をさらに含むことを特徴とする請求項５記載のコンピュータ読み取り可能な記録媒体。
【手続補正３】
【補正対象書類名】明細書
【補正対象項目名】００２９
【補正方法】変更
【補正の内容】
【００２９】
【課題を解決するための手段】
請求項１に係る発明は、クライアント上で動作するＷＷＷブラウザからの要求に応じてＨＴＭＬドキュメントを送信するデータ処理装置であって、ＷＷＷブラウザからの要求を受信するデータ受信手段と、前記データ受信手段において受信した要求にクライアント固有の情報が含まれているか否かを識別する識別手段と、前記識別の結果、受信したデータにクライアント固有の情報が含まれていた場合、前記クライアントに対応する情報保存ファイルを生成する情報保存ファイル生成手段と、前記情報保存ファイル生成手段が生成した情報保存ファイルと対応付けて前記クライアント固有の情報を保存するデータ保存手段と、クライアント固有の情報が対応付けられた前記情報保存ファイルを参照してクライアント固有のドキュメントを生成するドキュメント生成手段とを備えたことを特徴とする。
【手続補正４】
【補正対象書類名】明細書
【補正対象項目名】００３０
【補正方法】変更
【補正の内容】
【００３０】
請求項２に係る発明は、請求項１に係る発明において、前記情報保存ファイル生成手段は、クライアントからIPアドレスが取得できた場合、クライアントから取得したIPアドレスに対応する情報保存ファイルを生成し、クライアントのＩＰアドレスが取得できなかった場合、デフォルトのファイル名を持つ情報保存ファイルを生成するデフォルト情報保存ファイル生成手段をさらに備えることを特徴とする。
【手続補正５】
【補正対象書類名】明細書
【補正対象項目名】００３１
【補正方法】削除
【補正の内容】
【手続補正６】
【補正対象書類名】明細書
【補正対象項目名】００３２
【補正方法】変更
【補正の内容】
【００３２】
請求項３に係る発明は、クライアント上で動作するＷＷＷブラウザからの要求に応じてＨＴＭＬドキュメントを送信するデータ処理方法であって、ＷＷＷブラウザからの要求を受信し、前記受信した要求にクライアント固有の情報が含まれているか否かを識別し、前記識別の結果、受信したデータにクライアント固有の情報が含まれていた場合、前記クライアントに対応する情報保存ファイルを生成し、前記生成した情報保存ファイルと対応付けて前記クライアント固有の情報を保存し、クライアント固有の情報が対応付けられた前記情報保存ファイルを参照してクライアント固有のドキュメントを生成することを特徴とする。
【手続補正７】
【補正対象書類名】明細書
【補正対象項目名】００３３
【補正方法】変更
【補正の内容】
【００３３】
請求項４に係る発明は、請求項３に係る発明において、クライアントからIPアドレスが取得できた場合、クライアントから取得したIPアドレスに対応する情報保存ファイルを生成し、クライアントからＩＰアドレスが取得できなかった場合、デフォルトのファイル名を持つ情報保存ファイルをさらに生成することを特徴とする。
【手続補正８】
【補正対象書類名】明細書
【補正対象項目名】００３４
【補正方法】削除
【補正の内容】
【手続補正９】
【補正対象書類名】明細書
【補正対象項目名】００３５
【補正方法】変更
【補正の内容】
【００３５】
請求項５に係る発明は、コンピュータに、クライアント上で動作するＷＷＷブラウザからの要求に応じてＨＴＭＬドキュメントの送信を実行させるためのプログラムを記録したコンピュータ読み取り可能な記録媒体であって、ＷＷＷブラウザから要求を受信するステップと、前記受信した要求にクライアント固有の情報が含まれているか否かを識別するステップと、前記識別の結果、受信したデータにクライアント固有の情報が含まれていた場合、前記クライアントに対応する情報保存ファイルを生成するステップと、前記生成した情報保存ファイルと対応付けて前記クライアント固有の情報を保存するステップと、クライアント固有の情報が対応付けられた前記情報保存ファイルを参照してクライアント固有のドキュメントを生成するするステップを実行させるためのプログラムを記録することを特徴とする。
【手続補正１０】
【補正対象書類名】明細書
【補正対象項目名】００３６
【補正方法】変更
【補正の内容】
【００３６】
請求項６に係る発明は、請求項５に係る発明において、クライアントからIPアドレスが取得できた場合、クライアントから取得したIPアドレスに対応する情報保存ファイルを生成するステップと、クライアントからＩＰアドレスが取得できなかった場合、デフォルトのファイル名を持つ情報保存ファイルを生成するステップをさらに含むことを特徴とする。
【手続補正１１】
【補正対象書類名】明細書
【補正対象項目名】００３７
【補正方法】削除
【補正の内容】